(57)【要約】【課題】包装体に取り付ける際における密閉性の確保と、開閉動作後における密閉性の確保を図る。【解決手段】湿潤シート１１を収納する湿潤シート用包装体１０の袋本体１２に形成された取出口１４を覆う蓋用ラベル１００であって、取出口の周縁部１４ａを含めて取出口を覆うように袋本体に剥離可能に貼付される開閉蓋部１０２と、開閉蓋部の基端に沿うように袋本体に貼付され、開閉蓋部の基端の一部と連結されて開閉蓋部を支持する支持部１０４と、開閉蓋部の側縁部１０２ｅに沿うように袋本体に貼付され、支持部の両端１０４ａ、１０４ｂから開閉蓋部の側縁部に沿って延出する側枠部１０６とを備え、開閉蓋部、支持部及び側枠部は、可撓性シートにスリット状の境界部分を設けることによって一体成型され、可撓性シートを２％引張した際の引張強度の値が縦方向及び横方向とも少なくとも６０００ｇｆ／１０ｍｍ以上である。【選択図】図１
2019108148.tif 000002
【特許請求の範囲】
【請求項１】
湿潤シートを収納する湿潤シート用包装体の袋本体に形成された取出口を繰り返し開閉可能に貼付して覆う蓋用ラベルであって、
少なくとも前記取出口の周縁部を含めて前記取出口を覆うように前記袋本体に剥離可能に貼付される開閉蓋部と、
前記開閉蓋部の基端に沿うように前記袋本体に貼付され、前記開閉蓋部の基端の少なくとも一部と連結されて該開閉蓋部を支持する支持部と、
前記開閉蓋部の側縁部に沿うように前記袋本体に貼付され、前記支持部の両端のそれぞれから前記開閉蓋部の前記側縁部に沿って延出する側枠部と、を備え、
前記開閉蓋部、前記支持部及び前記側枠部は、可撓性シートにスリット状の境界部分を設けることによって一体成型され、該可撓性シートを２％引張した際の引張強度の値が縦方向及び横方向とも少なくとも６０００ｇｆ／１０ｍｍ以上であることを特徴とする蓋用ラベル。
【請求項２】
前記開閉蓋部、前記支持部及び前記側枠部は、それぞれの厚さが１００μｍ以上２００μｍ未満となるように前記可撓性シートで一体成型されていることを特徴とする請求項１に記載の蓋用ラベル。
【請求項３】
前記可撓性シートは、ポリエチレンテレフタレートにより形成され、２％引張した際の引張強度の値が縦方向及び横方向とも少なくとも６７００ｇｆ／１０ｍｍ以上であることを特徴とする請求項２に記載の蓋用ラベル。
【請求項４】
前記開閉蓋部の先端側には、該先端方向に突出する摘み部が形成され、該摘み部は、前記開閉蓋部が前記取出口を覆う際に、前記側枠部のそれぞれの先端の間に配置される構成となっていることを特徴とする請求項１乃至３の何れか１項に記載の蓋用ラベル。
【請求項５】
前記支持部は、前記袋本体の長さ方向又は幅方向の何れかに沿って貼付され、前記開閉蓋部は、前記袋本体の前記幅方向又は前記長さ方向の何れかに対して前記取出口を開閉可能に覆う構成となっていることを特徴とする請求項１乃至４の何れか１項に記載の蓋用ラベル。
【請求項６】
湿潤シートを収納する湿潤シート用包装体であって、
気密性及び不透水性を有する可撓性シートにより形成され、前記湿潤シートを内部に収納する袋本体と、
前記袋本体の表面に形成された取出口を繰り返し開閉可能に貼付して覆う請求項１乃至５の何れか１項に記載の蓋用ラベルと、
を備えることを特徴とする湿潤シート用包装体。
【発明の詳細な説明】
【技術分野】
【０００１】
本発明は、水やアルコール、薬液等の液体を含浸させたウエットティッシュ等の湿潤シートを収納する湿潤シート用包装体の取出口を繰り返し開閉可能に貼付して覆う蓋用ラベル、及び当該蓋用ラベルを貼付した湿潤シート用包装体に関する。
【背景技術】
【０００２】
アルコール、保湿剤、界面活性剤等を含む薬液を紙、織布又は不織布の繊維素材に含浸させた湿潤シートであるウエットティッシュは、乾燥しないように、気密性及び不透水性を有する包装容器に収納される。湿潤シートには、皮膚の汚れを拭き取ったり、化粧落とし、幼児のお尻拭き、掃除用のウェットシート等、様々なものがある。これらのウエットティッシュは、含ませた薬液が乾燥しないように、気密性及び不透水性を有する可撓性の樹脂フィルムからなる包装体に収納して製品とされる。包装体の表面略中央部には、取出口が形成され、この取出口の上面に独立部品である蓋用ラベルが繰返して開閉・密封可能に装着されている。
【０００３】
このような従来の包装体の蓋用ラベルを用いた場合には、蓋用ラベルを剥離して内容物であるウエットティッシュを取りだした後に、包装体に再密着させる際に、充分に注意を払わないと包装体の表面、特に取出口の近傍が皺になりやすく、蓋用ラベルが包装体に密着せず、隙間が発生してしまう。このため、携行時にウエットティッシュに含浸させてある薬液が漏れたり、蒸発してしまいウエットティッシュが乾燥してしまう等の課題があった。このような課題を解決する先行技術として、特許文献１には、取出口の周縁部に補強ラベルを貼って、当該周縁部が皺にならないように蓋用ラベルを貼れるようにした包装体が開示されている。また、特許文献２及び特許文献３には、蓋用ラベルの周囲に枠部を設けることによって、貼り付け位置を正確にして包装体内部の乾燥を防ぐようにした包装体の蓋用ラベルが開示されている。
【０００４】
湿潤シート用包装体やその蓋用ラベルを製造する過程において、時間的にも費用的にも余分なコストがかからないことが好ましい。また、湿潤シート用包装体は、薄い可撓性を有する樹脂フィルムから形成されるので、その表面が柔らかく、よれて波打ちや皺が発生し易い。このため、包装体の製造過程等で包装体の取出口を覆うように蓋用ラベルを取り付ける際に、取出口の周縁部に波打ちや皺が発生して、密閉性を確保するように包装体の袋本体に取り付け難いことが問題となっている。このような課題を解決する先行技術として、特許文献４には、蓋用ラベルの厚さを少なくとも２００μｍ以上とすることによって、より効率的に包装体の袋本体に蓋用ラベルを取り付ける際における密閉性の確保と、蓋用ラベルの開閉動作後における密閉性の確保の双方の両立を実現させる蓋用ラベルが開示されている。
【先行技術文献】
【特許文献】
【０００５】
【特許文献１】特開平０９−１５０８７２号公報
【特許文献２】特開平１０−０２４９７２号公報
【特許文献３】特開２００２−１０４５５０号公報
【特許文献４】特開２０１６−０３４８４６号公報
【発明の概要】
【発明が解決しようとする課題】
【０００６】
しかしながら、蓋用ラベルを厚手にすることによって、蓋用ラベルの材料コストが嵩むことと加工時におけるロールが嵩張ることが問題となっていた。すなわち、蓋用ラベルの材料コスト等も鑑みて、蓋用ラベルの開閉動作を繰り返した際における包装体の密閉性の確保と、包装体の袋本体に蓋用ラベルを取り付ける際における密閉性の確保の両立を図りつつ、蓋用ラベルを薄型化することが望まれる。
【０００７】
本発明は、上記課題に鑑みてなされたものであり、より効率的に包装体の袋本体に蓋用ラベルを取り付ける際における密閉性の確保と、蓋用ラベルの開閉動作後における密閉性の確保の双方の両立を図った上で薄型化が可能な新規かつ改良された蓋用ラベル、及び湿潤シート用包装体を提供することを目的とする。
【課題を解決するための手段】
【０００８】
本発明の一態様は、湿潤シートを収納する湿潤シート用包装体の袋本体に形成された取出口を繰り返し開閉可能に貼付して覆う蓋用ラベルであって、少なくとも前記取出口の周縁部を含めて前記取出口を覆うように前記袋本体に剥離可能に貼付される開閉蓋部と、前記開閉蓋部の基端に沿うように前記袋本体に貼付され、前記開閉蓋部の基端の少なくとも一部と連結されて該開閉蓋部を支持する支持部と、前記開閉蓋部の側縁部に沿うように前記袋本体に貼付され、前記支持部の両端のそれぞれから前記開閉蓋部の前記側縁部に沿って延出する側枠部と、を備え、前記開閉蓋部、前記支持部及び前記側枠部は、可撓性シートにスリット状の境界部分を設けることによって一体成型され、該可撓性シートを２％引張した際の引張強度の値が縦方向及び横方向とも少なくとも６０００ｇｆ／１０ｍｍ以上であることを特徴とする。
【０００９】
本発明の一態様によれば、蓋用ラベルを構成する可撓性シートを２％引張した際の引張強度の値が縦方向及び横方向とも所定の高さ以上にすることによって、蓋用ラベルを薄型化した上で、包装体の袋本体に蓋用ラベルを取り付ける際における密閉性の確保と、蓋用ラベルの開閉動作後における密閉性の確保の双方の両立が実現される。
【００１０】
このとき、本発明の一態様では、前記開閉蓋部、前記支持部及び前記側枠部は、それぞれの厚さが１００μｍ以上２００μｍ未満となるように前記可撓性シートで一体成型されていることとしてもよい。
【００１１】
このような構成とすることによって、包装体の袋本体に蓋用ラベルを取り付ける際における密閉性の確保と、蓋用ラベルの開閉動作後における密閉性の確保の双方の両立を図りながら、蓋用ラベルの薄型化が確実に図れるようになる。
【００１２】
また、本発明の一態様では、前記可撓性シートは、ポリエチレンテレフタレートにより形成され、２％引張した際の引張強度の値が縦方向及び横方向とも少なくとも６７００ｇｆ／１０ｍｍ以上であることとしてもよい。
【００１３】
このような構成とすることによって、包装体の袋本体に蓋用ラベルを取り付ける際における密閉性の確保と、蓋用ラベルの開閉動作後における密閉性の確保の双方の両立を図りながら、薄型化を確実に図るために必要な引張強度を確実に確保できるようになる。
【００１４】
また、本発明の一態様では、前記開閉蓋部の先端側には、該先端方向に突出する摘み部が形成され、該摘み部は、前記開閉蓋部が前記取出口を覆う際に、前記側枠部のそれぞれの先端の間に配置される構成となっていることとしてもよい。
【００１５】
このような構成とすることによって、開閉蓋部の開閉動作を容易にするので、開閉蓋部を閉じた際における袋本体の密閉性を確保し易くなる。
【００１６】
また、本発明の一態様では、前記支持部は、前記袋本体の長さ方向又は幅方向の何れかに沿って貼付され、前記開閉蓋部は、前記袋本体の前記幅方向又は前記長さ方向の何れかに対して前記取出口を開閉可能に覆う構成となっていることとしてもよい。
【００１７】
このような構成とすることによって、蓋用ラベルを包装体の袋本体に取り付ける際に、袋本体の表面の波打ちや皺を伸ばしながら貼り付けることができ、かつ、開閉蓋部を閉じた際における袋本体の密閉性を確保するための開閉動作が容易になる。
【００１８】
本発明の他の態様は、湿潤シートを収納する湿潤シート用包装体であって、気密性及び不透水性を有する可撓性シートにより形成され、前記湿潤シートを内部に収納する袋本体と、前記袋本体の表面に形成された取出口を繰り返し開閉可能に貼付して覆う上記の何れかに記載の蓋用ラベルと、を備えることを特徴とする。
【００１９】
本発明の他の態様によれば、蓋用ラベルを構成する可撓性シートを２％引張した際の引張強度の値が縦方向及び横方向とも所定の高さ以上にすることによって、袋本体に蓋用ラベルを取り付ける際における包装体の密閉性の確保と、蓋用ラベルの開閉動作後における包装体の密閉性の確保の両立を可能とした上で蓋用ラベルを含めた湿潤シート用包装体の薄型化が実現される。
【発明の効果】
【００２０】
以上説明したように本発明によれば、蓋用ラベルを構成する可撓性シートを２％引張した際の引張強度の値を縦方向及び横方向とも所定の高さ以上にすることによって、蓋用ラベルを薄型化した上で、包装体の袋本体に蓋用ラベルを取り付ける際における密閉性の確保と、蓋用ラベルの開閉動作後における密閉性の確保の双方の両立が実現される。
【図面の簡単な説明】
【００２１】
【図１】本発明の一実施形態に係る蓋用ラベルが設けられた湿潤シート用包装体の概略構成を示す斜視図である。
【図２】本発明の一実施形態に係る蓋用ラベルが設けられた湿潤シート用包装体の蓋用ラベルが開いた状態を示す斜視図である。
【図３】本発明の一実施形態に係る蓋用ラベルの概略構成を示す平面図である。
【図４】（Ａ）乃至（Ｄ）は、本発明の一実施形態に係る蓋用ラベルの貼付及び開閉動作を示す説明図である。
【発明を実施するための形態】
【００２２】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２３】
まず、本発明の蓋用ラベルが設けられた湿潤シート用包装体の一実施形態の構成について、図面を使用しながら説明する。図１は、本発明の一実施形態に係る蓋用ラベルが設けられた湿潤シート用包装体の概略構成を示す斜視図であり、図２は、本発明の一実施形態に係る蓋用ラベルが設けられた湿潤シート用包装体の蓋用ラベルが開いた状態を示す斜視図である。
【００２４】
本実施形態に係る蓋用ラベル１００が設けられた湿潤シート用包装体１０は、気密性及び不透水性を有する可撓性シートであるフィルム素材からなる袋本体１２の内部に、１枚毎に繰り出し可能に積層されたウエットティッシュ１１が所謂ポップアップ式となるように収納されている。また、包装体１０の袋本体１２の一面１２ａの略中央部には、ウエットティッシュを取り出すための取出口１４が形成され、当該取出口１４を覆うように蓋用ラベル１００が貼付されている。
【００２５】
袋本体１２は、柔軟で気密性及び不透水性を有する可撓性シート、例えばポリエチレン、ポリプロピレン、ポリエステル、ポリアミド、ポリ塩化ビニル等の合成樹脂の単材又は複合材で形成されている。なお、袋本体１２は、上述に限らず、上述の合成樹脂とアルミホイル、紙等とを貼りあわせた複合材からなるものであってもよい。
【００２６】
袋本体１２は、フィルムの長辺の一端部及び短辺の両端部がシールされた、いわゆるピロータイプの包装体であり、その内部には、ウエットティッシュ１１が積層されて封入されている。なお、包装体１０の袋本体１２は、上述のような所謂ピロータイプに限らず、柔軟で気密性及び不透水性を有する可撓性シートのものからなり、その内部にウエットティッシュ等を収納できる包装体であれば、他の態様であってもよい。
【００２７】
袋本体１２に収納されるウエットティッシュ１１は、パルプ、綿、合成繊維などからなる不織布、天然パルプ、合成パルプなどからなる紙、又はガーゼ等の布など湿潤強度を有する繊維素材等に水、アルコール、香料、化粧水、薬剤、界面活性剤などの液体成分、又は溶液を含浸させたものである。ウエットティッシュ１１は、一枚一枚が互いに重なりあって折り畳まれており、連続してウエットティッシュを袋本体１２の取出口１４から取り出せる、所謂ポップアップ式となるように袋本体１２に収納されている。すなわち、複数のウエットティッシュ１１のそれぞれが互いに一部重なるように折り畳んだ状態で積層されて袋本体１２に収納される。
【００２８】
包装体１０の袋本体１２の一面１２ａの略中央部には、包装体１０の長手方向に平行で両端が円弧をなす形状の取出口１４が形成されている。取出口１４には、当該取出口１４よりも大きく形成され、袋本体１２の取出口１４の周縁部１４ａと貼り合わせることによって取出口１４を繰り返して開閉可能に覆う蓋用ラベル１００が貼付されている。
【００２９】
蓋用ラベル１００は、ポリエチレンテレフタレート、ポリエチレン、ポリプロピレン、ポリエステル、ポリアミド、ポリ塩化ビニル等の合成樹脂の単材又は複合材等の柔軟で気密性及び不透水性を有する可撓性シートにより形成され、図１に示すように、略矩形の形状を有し、袋本体１２の一面１２ａに貼付されている。
【００３０】
本実施形態では、蓋用ラベル１００は、図２に示す取出口１４を開閉可能に貼付される開閉蓋部１０２の先端側に有する摘み部１０２ａを除いた周囲を支持部１０４と側枠部１０６で囲う構成となっている。すなわち、蓋用ラベル１００は、開閉蓋部１０２、支持部１０４、及び側枠部１０６の各境界部分がスリット状となって一体成型される構成となっている。なお、蓋用ラベル１００は、開閉蓋部１０２が取出口１４を周縁部１４ａも含めて被覆する所定の面積を有していれば、略矩形以外でも、例えば、円形や楕円形、三角形以上の多角形等の他の形状としてもよい。
【００３１】
蓋用ラベル１００の裏面側、すなわち包装体１０の袋本体１２に対向する面には、包装体１０に繰り返し剥離、貼付可能にするための再剥離接着剤糊として、例えば、ポリエステル系、アクリル系、ゴム系等の感圧接着剤が塗布され、袋本体１２の一面１２ａに接着されて取出口１４を閉塞する。本実施形態では、蓋用ラベル１００の開閉蓋部１０２は、包装体１０に繰り返し剥離、貼付され、支持部１０４と側枠部１０６は、貼付されたままの状態となっている。
【００３２】
開閉蓋部１０２は、少なくとも取出口１４の周縁部１４ａを含めて取出口１４を覆うように袋本体１２に剥離可能に貼付されている。本実施形態では、開閉蓋部１０２は、先端側に有する摘み部１０２ａを除く本体部分が略楕円形の形状となっている。開閉蓋部１０２の基端の略中央には、当該開閉蓋部１０２が袋本体１２から外れないようにするために、袋本体１２に貼付される支持部１０４と連結するための略矩形の連結部１０２ｂが設けられている。なお、連結部１０２ｂの構成は、開閉蓋部１０２の基端の少なくとも一部が支持部１０４と連結する構成となっていれば、他の形状、位置、個数としてもよい。
【００３３】
また、本実施形態では、開閉蓋部１０２は、その側縁部１０２ｅに沿って側枠部１０６が設けられ、側枠部１０６に沿って袋本体１２の幅方向Ｙに対して取出口１４を開閉可能に覆う構成となっている。開閉蓋部１０２の裏面１０２ｃには、上述した感圧接着剤が塗布されており、包装体１０の袋本体１２に繰り返し剥離、貼付可能となっている。
【００３４】
開閉蓋部１０２の裏面１０２ｃの略中央には、図２に示すように、取出口１４を覆う内蓋１２ｂが貼付されている。内蓋１２ｂは、袋本体１２の取出口１４が形成される部分に該当し、開閉蓋部１０２を最初に剥離するまでは、袋本体１２とミシン目状の連結点を介して連結されている。そして、開閉蓋部１０２が最初に剥離された際に、内蓋１２ｂは、開閉蓋部１０２の裏面１０２ｃに塗布された感圧接着剤によって、袋本体１２の取出口１４となる部分を切り離して、かかる切り離された部分が当該裏面１０２ｃに貼付されて、取出口１４を覆う内蓋１２ｂとなる。
【００３５】
蓋用ラベル１００の開閉蓋部１０２の先端側には、開閉蓋部１０２を繰り返し剥離、貼付するための摘み部１０２ａが形成されている。摘み部１０２ａは、開閉蓋部１０２の先端方向に略円弧状に突出して形成されている。摘み部１０２ａは、摘みやすくするために、図２に示すように、上述した再剥離接着剤糊が摘み部１０２ａの裏面１０２ａ１に塗布されておらず、包装体１０の袋本体１２に接着されていない。
【００３６】
また、摘み部１０２ａは、図１に示すように、開閉蓋部１０２が取出口１４を覆う際に、側枠部１０６ａ、１０６ｂのそれぞれの先端１０６ａ１、１０６ｂ１の間に配置される構成となっている。このような構成とすることによって、開閉蓋部１０２の開閉動作をし易くなるので、開閉蓋部１０２を閉じた際における袋本体１２の密閉性も確保し易くなる。なお、摘み部１０２ａは、上述した構成に限らず、開閉蓋部１０２の先端に形成されて、ユーザによって剥離動作を容易に行なえるものであればよく、その形状が、例えば、矩形、台形等であってもよい。
【００３７】
支持部１０４は、開閉蓋部１０２の基端に沿うように袋本体１２に貼付され、開閉蓋部１０２の基端の略中央に有する連結部１０２ｂと連結されて当該開閉蓋部１０２が袋本体１２から外れないように支持する。また、本実施形態では、図２に示すように、支持部１０４は、袋本体１２の長さ方向Ｘに沿って貼付されているので、開閉蓋部１０２が袋本体１２の幅方向Ｙに対して取出口１４を開閉可能に覆う構成となっている。このため、開閉蓋部１０２を閉じた際における袋本体１２の密閉性を確保するための開閉動作がし易くなる。
【００３８】
側枠部１０６は、開閉蓋部１０２の側縁部１０２ｅに沿うように袋本体１２に貼付され、支持部１０４の両端１０４ａ、１０４ｂのそれぞれから開閉蓋部１０２の側縁部１０２ｅに沿って袋本体１２の幅方向Ｙに延出する構成となっている。側枠部１０６ａ、１０６ｂは、図１に示すように、先端側が略Ｌ字型の形状となっており、その先端１０６ａ１、１０６ｂ１の間に、開閉蓋部１０２の先端に有する摘み部１０２ａが配置するようになっている。
【００３９】
本実施形態では、このように側枠部１０６（１０６ａ、１０６ｂ）が設けられるので、開閉蓋部１０２の開閉動作を繰り返しても、開閉蓋部１０２が側枠部１０６に沿って取出口１４を覆う定位置に戻って貼付されるようになる。このため、開閉蓋部１０２を閉じた際に、当該開閉蓋部１０２が取出口１４からずれるリスクを低減するので、包装体１０の密閉性を確保し易くなる。
【００４０】
また、本実施形態では、蓋用ラベル１００を構成する開閉蓋部１０２、支持部１０４及び側枠部１０６は、可撓性シートにスリット状の境界部分を設けることによって一体成型され、当該可撓性シートを２％引張した際の引張強度の値が縦方向（図１に示すＹ方向）及び横方向（図１に示すＸ方向）とも少なくとも６０００ｇｆ／１０ｍｍ以上の硬さを有することを特徴とする。すなわち、蓋用ラベル１００は、それ自体で保形性を有して皺になり難いものが望ましいので、従来から例えば２％引張した際の引張強度の値が縦方向及び横方向とも少なくとも５１００ｇｆ／１０ｍｍ以上の硬さを有するものが使用されていたが、本実施形態では、従来のものよりも更に引張強度の値が高い硬さを有するものが使用されている。
【００４１】
具体的には、本実施形態では、蓋用ラベル１００を構成する可撓性シートの２％引張した際の引張強度の値が縦方向及び横方向とも少なくとも６０００ｇｆ／１０ｍｍ以上の硬さにするために、ポリエチレンテレフタレートを主原料として、その厚さを少なくとも１００μｍ以上としている。特に、蓋用ラベル１００をポリエチレンテレフタレートの単体により形成して、その厚さを少なくとも１００μｍ以上とすることによって、２％引張した際の引張強度の値が縦方向及び横方向とも少なくとも６７００ｇｆ／１０ｍｍ以上になるので、前述した本発明の目的を達成するために必要とされる２％引張した際の引張強度の値が縦方向及び横方向とも少なくとも６０００ｇｆ／１０ｍｍ以上の硬さを確実に確保できる。
【００４２】
このため、包装体の袋本体に蓋用ラベル１００を取り付ける際における密閉性の確保と、蓋用ラベル１００の開閉動作後における密閉性の確保の双方の両立を図りながら、薄型化を確実に図ることができる。また、蓋用ラベル１００の硬質化と薄型化を図ることによって、蓋用ラベル１００の包装体１０への貼り付け作業と剥離作業を実施し易くすることができる。すなわち、蓋用ラベル１００の包装体１０への貼付・剥離、着脱する際における作業効率を高めることができる。なお、蓋用ラベル１００をポリエチレンテレフタレートで形成する場合に、その厚さを少なくとも１００μｍ以上とするために、単体のシートの厚さを１００μｍ以上としても、複数のシートを張り合わせて、その合計の厚さを１００μｍ以上としてもよい。
【００４３】
このように蓋用ラベル１００を開閉蓋部１０２と支持部１０４と側枠部１０６の一体型として、２％引張した際の引張強度の値が縦方向及び横方向とも少なくとも６０００ｇｆ／１０ｍｍ以上の硬さを有する構成にすることによって、袋本体１２に蓋用ラベル１００を取り付ける際に、袋本体１２の一面１２ａに有する波打ちや皺を引き延ばしながら取り付けられるようになる。そして、袋本体１２に取り付けた後には、開閉蓋部１０２が側枠部１０６に沿って開閉動作されるので、開閉蓋部１０２がより確実に取出口１４を覆うようになり、開閉動作後における包装体１０の密閉性が確保されるようになる。すなわち、より効率的に袋本体１２に蓋用ラベル１００を取り付ける際における密閉性の確保と、蓋用ラベル１００の開閉蓋部１０２の開閉動作後における密閉性の確保の両立がより長期間実現されるようになる。
【００４４】
次に、本発明の一実施形態に係る湿潤シート用包装体の蓋用ラベルの構成等に関する詳細について、図面を使用しながら説明する。図３は、本発明の一実施形態に係る蓋用ラベルの概略構成を示す平面図である。
【００４５】
本発明者は、前述した本発明の目的を達成するために鋭意検討を重ねた結果、蓋用ラベル１００を構成する可撓性シートを２％引張した際の引張強度の値が縦方向（図３に示すＹ方向）及び横方向（図３に示すＸ方向）とも少なくとも６０００ｇｆ／１０ｍｍ以上にして従来よりも硬くすることによって、蓋用ラベル１００を包装体１０の袋本体１２に取り付ける際に、袋本体１２の表面１２ａの波打ちや皺を伸ばしながら貼り付けられることを見出した。また、蓋用ラベル１００を構成する可撓性シートを２％引張した際の引張強度の値が縦方向及び横方向とも少なくとも６０００ｇｆ／１０ｍｍ以上にして従来よりも硬くすることによって、袋本体１２の表面１２ａの波打ちや皺を伸ばしながら貼り付けられるので、蓋用ラベル１００の開閉動作を繰り返し行っても、包装体１０の密閉性をより長期間維持できることを見出した。さらに、蓋用ラベル１００の引張強度に基づく硬さを高めることによって、蓋用ラベル１００の厚さの好適値を１００μｍ以上２００μｍ未満に薄型化が実現されることを見出した。
【００４６】
本実施形態の蓋用ラベル１００は、開閉蓋部１０２、支持部１０４及び側枠部１０６が可撓性シートで一体成型され、２％引張した際の引張強度の値が縦方向及び横方向とも少なくとも６０００ｇｆ／１０ｍｍ以上であることを特徴とする。蓋用ラベル１００は、図３に示すように、略矩形の形状を有し、開閉蓋部１０２の先端側に有する摘み部１０２ａを除いた周囲を支持部１０４と側枠部１０６で囲う構成となっている。また、蓋用ラベル１００の開閉蓋部１０２、支持部１０４及び側枠部１０６の各境界部分は、スリット状になっている。
【００４７】
蓋用ラベル１００は、ポリエチレンテレフタレート、ポリエチレン、ポリプロピレン、ポリエステル、ポリアミド、ポリ塩化ビニル等の合成樹脂シートの単材又は複合材、又はこれら合成樹脂シートとアルミホイル、紙等とを貼り合わせた複合シートからなる柔軟で気密性及び不透水性を有する可撓性シートにより形成されている。特に、２％引張した際の引張強度の値が縦方向及び横方向とも少なくとも６０００ｇｆ／１０ｍｍ以上の硬さを確保するためには、蓋用ラベル１００は、ポリエチレンテレフタレートを主原料として形成することが好ましい。なお、蓋用ラベル１００は、上述の材質に限らず、２％引張した際の引張強度の値が縦方向及び横方向とも少なくとも６０００ｇｆ／１０ｍｍ以上の硬さを確保した上で、全体として蓋用ラベル１００の開閉蓋部１０２の剥離、貼付動作を繰り返し行った場合にも傷まず、適度な柔軟性、気密性や液密性を保てるものであれば、他の材質でもよい。
【００４８】
本実施形態では、蓋用ラベル１００は、袋本体１２に蓋用ラベル１００を取り付ける際に、袋本体１２の一面１２ａに有する波打ちや皺を引き延ばしながら取り付けられるようにするために、２％引張した際の引張強度の値が縦方向及び横方向とも少なくとも６０００ｇｆ／１０ｍｍ以上となる硬さを有する。このように、蓋用ラベル１００を従来よりも硬くすることによって、袋本体１２に蓋用ラベル１００を取り付ける際に、蓋用ラベル１００により強い応力が働くようになるので、袋本体１２の波打ちや皺を伸ばすように作用するようになる。
【００４９】
また、本実施形態では、蓋用ラベル１００は、２％引張した際の引張強度の値が縦方向及び横方向とも少なくとも６０００ｇｆ／１０ｍｍ以上となる硬さを有するので、上述した蓋用ラベル１００による強い応力を作用させるために、蓋用ラベル１００は、１００μｍ以上２００μｍ未満の厚さとすることができる。すなわち、蓋用ラベル１００が上述した硬さを有することによって、蓋用ラベル１００は、開閉蓋部１０２、支持部１０４及び側枠部１０６のそれぞれの厚さが１００μｍ以上２００μｍ未満となるように一体成型される構成とすることができる。このため、包装体１０の袋本体１２に蓋用ラベル１００を取り付ける際における密閉性の確保と、蓋用ラベル１００の開閉動作後における密閉性の確保の双方の両立をより長期間図りながら、蓋用ラベル１００の薄型化が確実に図れるようになる。
【００５０】
次に、本発明の一実施形態に係る湿潤シート用包装体の蓋用ラベルの貼付及び開閉動作について、図面を使用しながら説明する。図４（Ａ）乃至（Ｄ）は、本発明の一実施形態に係る蓋用ラベルの貼付及び開閉動作を示す説明図である。
【００５１】
ウエットティッシュ１１が収納され、蓋用ラベル１００が貼付される包装体１０の袋本体１２は、薄い可撓性を有する樹脂フィルムから形成されるので、その表面が柔らかく、よれて波打ちや皺が発生し易い。本実施形態の蓋用ラベル１００は、図４（Ａ）に示すように、波打ち１２ａ１や皺が発生している袋本体１２の一面１２ａに貼付される。このとき、支持部１０４（図３参照）が袋本体１２の長さ方向に沿って貼付される。なお、本実施形態では、蓋用ラベル１００を袋本体１２に貼付する際に、支持体１０４が袋本体１２の長さ方向（図３に示すＸ方向）に沿って貼付されているが、幅方向（図３に示すＹ方向）に沿って貼付されるようにしてもよい。
【００５２】
前述したように、本実施形態では、蓋用ラベル１００は、２％引張した際の引張強度の値が縦方向及び横方向とも少なくとも６０００ｇｆ／１０ｍｍ以上の硬さを有するので、袋本体１２の一面１２ａに貼付され始めると、図４（Ｂ）に示すように、応力が働いて袋本体１２の一面１２ａに有する波打ち１２ａ１や皺を伸ばしながら、貼り付けられるようになる。すなわち、蓋用ラベル１００の硬さを前述の条件とすることによって、表面に波打ち１２ａ１や皺が生じやすい包装体１０の袋本体１２に、当該波打ち１２ａ１や皺を伸ばすようにして蓋用ラベル１００を貼付できるので、包装体１０の密閉性を確保するように、袋本体１２に取り付け易くなる。
【００５３】
そして、蓋用ラベル１００が袋本体１２の一面１２ａに貼られ終わると、図４（Ｃ）に示すように、袋本体１２の波打ち１２ａ１や皺が完全に伸ばされて、蓋用ラベル１００が袋本体１２に密着した状態で貼り付けられるようになる。すなわち、包装体１０の袋本体１２に蓋用ラベル１００を取り付ける際における袋本体１２の密閉性が確保された状態となる。換言すると、包装体１０の出荷時における密閉性が確保された状態となる。
【００５４】
その後、図４（Ｄ）に示すように、側枠部１０６に沿って開閉蓋部１０２を袋本体１２に対して開閉させるので、開閉蓋部１０２が開閉動作後に取出口１４を覆う定位置に誘導されるようになる。このため、蓋用ラベル１００の開閉蓋部１０２の開閉動作後における包装体１０の密閉性を確保し易くなる。本実施形態では、支持部１０４が袋本体１２の長さ方向に沿って貼付されるので、開閉蓋部１０２は、袋本体１２の幅方向に対して取出口１４を開閉可能に覆う構成となる。なお、支持部１０４が袋本体１２の幅方向に沿って貼付されるようにした場合では、開閉蓋部１０２は、袋本体１２の長さ方向に対して取出口１４を開閉可能に覆う構成となる。
【００５５】
このように、本実施形態では、開閉蓋部１０２のガイドとなる側枠部１０６を設けた蓋用ラベル１００の全体の硬さを従来よりも増大させたので、包装体１０の袋本体１２に取り付ける際に、支持部１０４が袋本体１２の長さ方向又は幅方向の何れかに沿うようにして、袋本体１２の表面１２ａの波打ち１２ａ１や皺を伸ばしながら貼り付けられる。すなわち、開閉蓋部１０２の側縁部１０２ｅに沿うように側枠部１０６を設けた蓋用ラベル１００を一体成型して、従来よりも一層硬くすることによって、袋本体１２の取出口１４の周囲等を波打ちや皺にならないようにすることができる。
【００５６】
このため、従来のような余分な補強ラベル等の別部材を使用しないで、包装体１０の袋本体１２に蓋用ラベル１００を取り付ける際における包装体１０の密閉性を確保できる。すなわち、従来のような補強ラベル等の別部材を加工する工程や、当該別部材を包装体に貼付する工程が不要となるので、前述した本発明の目的を達成できる蓋用ラベル１００の生産効率が向上する。また、補強ラベル等を不要した上で薄型化も図れるので、材料コストの低減も図れる。
【００５７】
さらに、蓋用ラベル１００の全体の硬さを従来よりも増大させたので、袋本体１２に蓋用ラベル１００を取り付ける際における密閉性の確保と、蓋用ラベル１００の開閉蓋部１０２の開閉動作後における密閉性の確保の両立を図る機能をより長期間保持しつつ、蓋用ラベル１００の厚さを薄くできる。このため、蓋用ラベル１００の包装体１０への貼付作業と剥離作業を実施し易くなるので、ユーザにとって使用勝手が改善して当該密閉性の確保の両立をより長期間図り易くした上で、材料コストの低減と、蓋用ラベル１００及び当該蓋用ラベル１００を貼付した湿潤シート用包装体の薄型化が確実に図れる。
【００５８】
また、蓋用ラベル１００を開閉蓋部１０２と支持部１０４と側枠部１０６とを所定の硬さを有する可撓性シートで一体成型した構成としているので、包装体１０に蓋用ラベル１００を貼付した後において、蓋用ラベル１００の開閉動作後における包装体１０の密閉性をより長期間確保できるようになる。すなわち、蓋用ラベル１００を包装体１０の袋本体１２に取り付けた後に、開閉蓋部１０２の開閉動作を繰り返しても、取出口１４を覆う定位置に開閉蓋部１０２が誘導されるようになるので、包装体１０の使用開始後における密閉性をより長期間確保できるようになる。
【００５９】
さらに、蓋用ラベル１００を２％引張した際の引張強度の値が縦方向及び横方向とも少なくとも６０００ｇｆ／１０ｍｍ以上となる硬さにすることによって、包装体１０を製造する過程において、ウエットティッシュ１１を収納した袋本体１２に蓋用ラベル１００を貼付する際に、袋本体１２の取出口１４の周辺に皺がよれた状態で蓋用ラベル１００が貼付された欠陥品となるリスクが低減される。すなわち、包装体１０を製造する際における蓋用ラベル１００の歩留りを向上させられる。具体的には、本実施形態の蓋用ラベル１００を備える包装体１０を製造する際に、包装体１０の生産個数に対する蓋用ラベル１００の使用枚数を減少させ、その歩留りに関して数％程度の向上を見込めるので、極めて大きな工業的価値を有する。
【実施例】
【００６０】
次に、前述した本発明の一実施形態における効果を実証する実施例となる実験結果について説明する。本実施例では、本発明の一実施形態に係る湿潤シート用包装体の蓋用ラベルを使用することによる使用時の密閉性を確認するための評価実験を行った。なお、本発明は、本実施例に限定されるものではない。
【００６１】
まず、本発明の一実施形態に係る蓋用ラベルを構成する可撓性シートの好適な材質及び厚さを選定した。すなわち、現状において流通しているラベル用シートで比較的硬度を有する材質である二軸延伸ポリプロピレン（以下、ＯＰＰ）、ポリ塩化ビニル（以下、ＰＶＣ）、及びポリエチレンテレフタレート（以下、ＰＥＴ）を主原料として実際にラベルを作成して、当該ラベルの材質と引張強度と乾燥減量を確認する試験を行った。
【００６２】
具体的には、下記の材質・構成、厚さで作製したラベルを評価用に１０ｍｍ幅にカットし、当該ラベルに対して引張試験機を用いてチャック間距離：５０ｍｍ、引張速度：３００ｍ/ｍｉｎで２％引張した際の引張強度の値を測定して評価した。
１）材質・構成ＯＰＰ４０/ＰＥＴ５０、厚さ９０μｍ
２）材質・構成ＰＶＣ８０／ＰＶＣ８０、厚さ１６０μｍ
３）材質・構成ＯＰＰ１００、厚さ１００μｍ
４）材質・構成ＰＥＴ２５、厚さ２５μｍ
５）材質・構成ＰＥＴ５０、厚さ５０μｍ
６）材質・構成ＰＥＴ７５、厚さ７５μｍ
７）材質・構成ＰＥＴ１００、厚さ１００μｍ
８）材質・構成ＰＥＴ２５／ＰＥＴ７５、厚さ１００μｍ
９）材質・構成ＰＥＴ２５／ＰＥＴ１００、厚さ１２５μｍ
１０）材質・構成ＰＥＴ２５／ＰＥＴ７５／ＰＥＴ５０、厚さ１５０μｍ
【００６３】
そして、作成した各ラベルを貼付した湿潤シート用包装体のサンプルのシートを１枚抜き取る毎にラベルを閉じる抜き取り工程を繰り返し行った直後におけるサンプル製品の重量と、室温で４日間放置後のサンプル製品の重量を測定して、これらの重量差から乾燥減量（減量量）を測定して、乾燥減量の低減が見られるものを蓋用ラベルとして使用できるものとして選定した。その結果を下記の表１に示す。なお、下記の表１で蓋用ラベルとして使用できるものの可否については、〇×で表示している。
【００６４】
【表１】
2019108148.tif 000003
【００６５】
前述の表１に示すように、一般的に使用されているＯＰＰ４０／ＰＥＴ５０のラベルや、ＰＶＣ１００％のラベル、ＯＰＰ１００％のラベルは、何れも縦方向及び横方向の２％引張強度の値が６０００ｇｆ／１０ｍｍ未満となるので、乾燥減量の低減が見られなかった。また、ＯＰＰやＰＶＣと比べて硬度が高いＰＥＴ１００％のラベルでも、厚さが１００μｍ未満のものは、何れも縦方向及び横方向の２％引張強度の値が６０００ｇｆ／１０ｍｍ未満となるので、乾燥減量の低減が見られなかった。
【００６６】
これに対して、ＰＥＴ１００％で厚さが１００μｍ以上のラベルでは、何れも縦方向及び横方向の２％引張強度の値が６０００ｇｆ／１０ｍｍ以上となり、乾燥減量の低減が見られた。このことから、乾燥減量の低減を満たすためには、ＰＥＴラベルの厚さが少なくとも１００μｍ以上必要なことが分かった。また、ＰＥＴラベルの厚さが１００μｍ以上であれば、複数のシートを張り合わせて、その合計の厚さを１００μｍ以上としたものでも所望の引張強度を確保して、乾燥減量の低減が見られることが分かった。
【００６７】
次に、実施例１として、本発明の一実施形態に係る湿潤シート用包装体の蓋用ラベル（材質ＰＥＴ２５／ＰＥＴ７５、厚さ１００μｍ）を用意した。また、かかる実施例１の比較対象となる比較例１として、当該実施例１の蓋用ラベルと同形状の蓋用ラベル（材質ＯＰＰ４０／ＰＥＴ５０、厚さ９０μｍ）を用意し、さらに、比較例２として、当該実施例の蓋用ラベルと同形状の厚手ラベル（材質ＰＥＴ２５／ＰＶＣ１００／ＰＥＴ５０、厚さ１７５μｍ）を用意した。そして、それぞれのラベルにおける引張強度の値と使用時の揮発性の確認を行った。
【００６８】
具体的には、下記の手順による評価方法を行った。
１）実施例１、比較例１、及び比較例２の各蓋用ラベルの硬度に関して、縦方向（図３に示すＹ方向）及び横方向（図３に示すＸ方向）のそれぞれについて引張試験機を使用して、２％引張した際の引張強度の値を測定して評価した。
２）４０枚のシート（ウエットティッシュ）を袋本体がアルミホイルと合成樹脂シートとを貼り合わせた複合シート構成のフィルムからなる包装体で包装し、取り出し穴をあけて実施例１、比較例１、及び比較例２の各ラベルを蓋用ラベルとして貼った湿潤シート用包装体のサンプルを作成した。
３）上記の各湿潤シート用包装体のサンプルのシートを１枚抜き取る毎にラベルを閉じる工程を１０回（１０枚抜き取り）、２０回（２０枚抜き取り）、３０回（３０枚抜き取り）とそれぞれ繰り返し行った。
４）上記抜き取り工程後に、その直後のサンプル製品の重量と、室温で４日間放置後のサンプル製品の重量を測定して、これらの重量差から乾燥減量（減量量）を測定し、また、乾燥減量率（（乾燥減量／抜き取り後の製品重量）×１００）を算出した。
５）本評価試験では、上記の３）及び４）の工程をそれぞれ３回行って、３回ずつ測定、算出した抜き取り後の製品重量、４日放置後の製品重量、減量量、及び乾燥減量率の平均値を求めた。
【００６９】
前述した実施例１、比較例１、及び比較例２による各ラベルにおける上記評価方法により測定した引張強度の値は、実施例１のラベルでは、縦方向と横方向の２％引張強度は、それぞれ６７００ｇｆ／１０ｍｍ、７９００ｇｆ／１０ｍｍ、比較例１のラベルでは、縦方向と横方向の２％引張強度は、それぞれ５１００ｇｆ／１０ｍｍ、５８００ｇｆ／１０ｍｍ、比較例２のラベルでは、縦方向と横方向の２％引張強度は、それぞれ５８４０ｇｆ／１０ｍｍ、６１３０ｇｆ／１０ｍｍとなった。また、使用時の揮発性の検証結果をまとめたものを下記の表２に示す。
【００７０】
【表２】
2019108148.tif 000004
【００７１】
表２より、本発明の一実施形態に係る湿潤シート用包装体の蓋用ラベルである実施例１の蓋用ラベルは、比較例１の蓋用ラベルと比べて、ラベルの厚さを厚く、引張強度の値を高くすることによって、繰り返し使用した際における乾燥減量率が格段に少なくなることが分かった。特に、抜き取り枚数が２０枚、３０枚と増加するにつれて、実施例１に係る蓋用ラベルは、比較例１のラベルと比べて、乾燥減量率が大幅に向上することが分かった。
【００７２】
また、実施例１の蓋用ラベルは、比較例２の厚手ラベルと比べて、抜き取り枚数が１０枚の場合では、繰り返し使用した際における乾燥減量率が幾分大きいものの、抜き取り枚数が２０枚、３０枚と増加するにつれて、実施例１に係る蓋用ラベルは、比較例２の厚手ラベルと比べて、乾燥減量率の増加を抑制できることが分かった。
【００７３】
すなわち、実施例１の蓋用ラベルは、比較例２のラベルよりも薄い構成としても、所定の高さ以上の引張強度の値を有する硬さにして、比較例２のラベルより硬い材質とすることによって、比較例２の厚手ラベルと同様に、密閉性を確保するのに必要な弾力性を確保できることが分かった。特に、ラベルを構成する可撓性シートを２％引張した際の引張強度の値が縦方向及び横方向とも少なくとも６０００ｇｆ／１０ｍｍ以上と、所定の高さ以上の引張強度の値を有するように、より硬くした上で薄型化を図ることによって、ラベルの着脱作業がし易くなるので、着脱作業を繰り返し使用しても、乾燥減少率が低い状態をより長期間維持できることが分かった。
【００７４】
このため、取出口を塞ぐために当該蓋用ラベルを再び袋本体に貼りつける際に、ラベルの貼付作業の効率化が図れるので、隙間なく貼りつけられる状態をより長期間確保できることが分かった。このことから、ラベルの厚さが比較例２の厚手ラベルより薄い実施例1の蓋用ラベルの方が当該比較例２の厚手ラベルよりも、蓋用ラベルの着脱を繰り返しても、包装体の密閉性をより長期間安定した状態で確保できることが実証された。
【００７５】
なお、上記のように本発明の一実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００７６】
例えば、明細書又は図面において、少なくとも一度、より広義又は同義な異なる用語と共に記載された用語は、明細書又は図面のいかなる箇所においても、その異なる用語に置き換えることができる。また、蓋用ラベル及び湿潤シート用包装体の構成、動作も本発明の一実施形態及び各実施例で説明したものに限定されず、種々の変形実施が可能である。
【符号の説明】
【００７７】
１０  湿潤シート用包装体、１１  ウエットティッシュ（湿潤シート）、１２  袋本体、１２ａ  一面、１２ａ１  波打ち、１４  取出口、１４ａ  周縁部、１００  蓋用ラベル、１０２  開閉蓋部、１０２ａ  摘み部、１０２ｂ  連結部、１０２ｃ  裏面、１０２ｅ  側縁部、１０４  支持部、１０４ａ、１０４ｂ  （支持部の）両端、１０６、１０６ａ、１０６ｂ  側枠部、１０６ａ１、１０６ｂ１  （側枠部の）先端、１０８ａ  摘み部
【図１】
2019108148.tif 000005
【図２】
2019108148.tif 000006
【図３】
2019108148.tif 000007
【図４】
2019108148.tif 000008
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
湿潤シートを収納する湿潤シート用包装体の袋本体に形成された取出口を繰り返し開閉可能に貼付して覆う蓋用ラベルであって、
少なくとも前記取出口の周縁部を含めて前記取出口を覆うように前記袋本体に剥離可能に貼付される開閉蓋部と、
前記開閉蓋部の基端に沿うように前記袋本体に貼付され、前記開閉蓋部の基端の少なくとも一部と連結されて該開閉蓋部を支持する支持部と、
前記開閉蓋部の側縁部に沿うように前記袋本体に貼付され、前記支持部の両端のそれぞれから前記開閉蓋部の前記側縁部に沿って延出する側枠部と、を備え、
前記開閉蓋部、前記支持部及び前記側枠部は、厚さが少なくとも１００μｍ以上のポリエチレンテレフタレートを主原料とした可撓性シートにスリット状の境界部分を設けることによって一体成型され、該可撓性シートは、２％引張した際の引張強度の値が縦方向及び横方向とも少なくとも６０００ｇｆ／１０ｍｍ以上の硬さを有することを特徴とする蓋用ラベル。
【請求項２】
前記開閉蓋部、前記支持部及び前記側枠部は、それぞれの厚さが１００μｍ以上２００μｍ未満となるように前記可撓性シートで一体成型されていることを特徴とする請求項１に記載の蓋用ラベル。
【請求項３】
前記可撓性シートは、前記ポリエチレンテレフタレートにより形成され、２％引張した際の引張強度の値が縦方向及び横方向とも少なくとも６７００ｇｆ／１０ｍｍ以上の硬さを有することを特徴とする請求項２に記載の蓋用ラベル。
【請求項４】
前記開閉蓋部の先端側には、該先端方向に突出する摘み部が形成され、該摘み部は、前記開閉蓋部が前記取出口を覆う際に、前記側枠部のそれぞれの先端の間に配置される構成となっていることを特徴とする請求項１乃至３の何れか１項に記載の蓋用ラベル。
【請求項５】
前記支持部は、前記袋本体の長さ方向又は幅方向の何れかに沿って貼付され、前記開閉蓋部は、前記袋本体の前記幅方向又は前記長さ方向の何れかに対して前記取出口を開閉可能に覆う構成となっていることを特徴とする請求項１乃至４の何れか１項に記載の蓋用ラベル。
【請求項６】
湿潤シートを収納する湿潤シート用包装体であって、
気密性及び不透水性を有する可撓性シートにより形成され、前記湿潤シートを内部に収納する袋本体と、
前記袋本体の表面に形成された取出口を繰り返し開閉可能に貼付して覆う請求項１乃至５の何れか１項に記載の蓋用ラベルと、
を備えることを特徴とする湿潤シート用包装体。
【手続補正２】
【補正対象書類名】明細書
【補正対象項目名】０００８
【補正方法】変更
【補正の内容】
【０００８】
本発明の一態様は、湿潤シートを収納する湿潤シート用包装体の袋本体に形成された取出口を繰り返し開閉可能に貼付して覆う蓋用ラベルであって、少なくとも前記取出口の周縁部を含めて前記取出口を覆うように前記袋本体に剥離可能に貼付される開閉蓋部と、前記開閉蓋部の基端に沿うように前記袋本体に貼付され、前記開閉蓋部の基端の少なくとも一部と連結されて該開閉蓋部を支持する支持部と、前記開閉蓋部の側縁部に沿うように前記袋本体に貼付され、前記支持部の両端のそれぞれから前記開閉蓋部の前記側縁部に沿って延出する側枠部と、を備え、前記開閉蓋部、前記支持部及び前記側枠部は、厚さが少なくとも１００μｍ以上のポリエチレンテレフタレートを主原料とした可撓性シートにスリット状の境界部分を設けることによって一体成型され、該可撓性シートは、２％引張した際の引張強度の値が縦方向及び横方向とも少なくとも６０００ｇｆ／１０ｍｍ以上の硬さを有することを特徴とする。
【手続補正３】
【補正対象書類名】明細書
【補正対象項目名】００１２
【補正方法】変更
【補正の内容】
【００１２】
また、本発明の一態様では、前記可撓性シートは、前記ポリエチレンテレフタレートにより形成され、２％引張した際の引張強度の値が縦方向及び横方向とも少なくとも６７００ｇｆ／１０ｍｍ以上の硬さを有することとしてもよい。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
湿潤シートを収納する湿潤シート用包装体の袋本体に形成された取出口を繰り返し開閉可能に貼付して覆う蓋用ラベルであって、
少なくとも前記取出口の周縁部を含めて前記取出口を覆うように前記袋本体に剥離可能に貼付される開閉蓋部と、
前記開閉蓋部の基端に沿うように前記袋本体に貼付され、前記開閉蓋部の基端の少なくとも一部と連結されて該開閉蓋部を支持する支持部と、
前記開閉蓋部の側縁部に沿うように前記袋本体に貼付され、前記支持部の両端のそれぞれから前記開閉蓋部の前記側縁部に沿って延出する側枠部と、を備え、
前記開閉蓋部、前記支持部及び前記側枠部は、厚さが１００μｍ以上２００μｍ未満のポリエチレンテレフタレートを主原料とした可撓性シートにスリット状の境界部分を設けることによって一体成型され、該可撓性シートは、２％引張した際の引張強度の値が縦方向及び横方向とも少なくとも６０００ｇｆ／１０ｍｍ以上の硬さを有することを特徴とする蓋用ラベル。
【請求項２】
前記可撓性シートは、前記ポリエチレンテレフタレートにより形成され、２％引張した際の引張強度の値が縦方向及び横方向とも少なくとも６７００ｇｆ／１０ｍｍ以上の硬さを有することを特徴とする請求項１に記載の蓋用ラベル。
【請求項３】
前記開閉蓋部の先端側には、該先端方向に突出する摘み部が形成され、該摘み部は、前記開閉蓋部が前記取出口を覆う際に、前記側枠部のそれぞれの先端の間に配置される構成となっていることを特徴とする請求項１又は２に記載の蓋用ラベル。
【請求項４】
前記支持部は、前記袋本体の長さ方向又は幅方向の何れかに沿って貼付され、前記開閉蓋部は、前記袋本体の前記幅方向又は前記長さ方向の何れかに対して前記取出口を開閉可能に覆う構成となっていることを特徴とする請求項１乃至３の何れか１項に記載の蓋用ラベル。
【請求項５】
湿潤シートを収納する湿潤シート用包装体であって、
気密性及び不透水性を有する可撓性シートにより形成され、前記湿潤シートを内部に収納する袋本体と、
前記袋本体の表面に形成された取出口を繰り返し開閉可能に貼付して覆う請求項１乃至４の何れか１項に記載の蓋用ラベルと、
を備えることを特徴とする湿潤シート用包装体。
【手続補正２】
【補正対象書類名】明細書
【補正対象項目名】０００８
【補正方法】変更
【補正の内容】
【０００８】
本発明の一態様は、湿潤シートを収納する湿潤シート用包装体の袋本体に形成された取出口を繰り返し開閉可能に貼付して覆う蓋用ラベルであって、少なくとも前記取出口の周縁部を含めて前記取出口を覆うように前記袋本体に剥離可能に貼付される開閉蓋部と、前記開閉蓋部の基端に沿うように前記袋本体に貼付され、前記開閉蓋部の基端の少なくとも一部と連結されて該開閉蓋部を支持する支持部と、前記開閉蓋部の側縁部に沿うように前記袋本体に貼付され、前記支持部の両端のそれぞれから前記開閉蓋部の前記側縁部に沿って延出する側枠部と、を備え、前記開閉蓋部、前記支持部及び前記側枠部は、厚さが１００μｍ以上２００μｍ未満のポリエチレンテレフタレートを主原料とした可撓性シートにスリット状の境界部分を設けることによって一体成型され、該可撓性シートは、２％引張した際の引張強度の値が縦方向及び横方向とも少なくとも６０００ｇｆ／１０ｍｍ以上の硬さを有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】